(57)【要約】      （修正有）【課題】携帯型電子機器の画面保護シートについて、画面保護用シートの貼着装置へ正確に位置合わせを行うことができる剥離シートをを提供する。【解決手段】携帯型電子機器の画面保護用シートｍに設けられた樹脂製の剥離シートｎであって、貼り付け後前記画面保護シートｍから剥がされるものであり、剥離シートｎは、嵌合部ｎ３を備え、貼着装置の備える位置決めピンを被嵌合部として、嵌合部ｎ３は、被嵌合部が嵌め合された状態にて、剥離シートｎの貼着装置に対する位置を決める位置決め穴であり、嵌合部ｎ３は、剥離シートｎの表裏に貫通し且つ平面視において嵌合部ｎ３の内周面から嵌合部ｎ３の径外方向へ伸びる３本以上の切れ込みｎ４を備え、切れ込みｎ４の夫々は、嵌合部ｎ３の周方向について互いに間隔を開けて放射状に設けられる。【選択図】図１２
2017053944.tif 000002
【特許請求の範囲】
【請求項１】
スマートフォン等の携帯型電子機器の画面へ貼り付けられて当該画面を保護する画面保護用シートについて、当該画面保護用シートに設けられた樹脂製の剥離シートであって、前記貼り付け後前記画面保護シートから剥がされるものであり、
前記剥離シートは、嵌合部を備え、
前記剥離シートから画面保護用シートを剥離させて画面保護用シートの前記貼着を行う貼着装置について、前記貼着装置の備える位置決めピンを被嵌合部として、前記嵌合部は、前記被嵌合部が嵌め合された状態にて、前記剥離シートの前記貼着装置に対する位置を決める位置決め穴であり、
前記嵌合部は、剥離シートの表裏に貫通し且つ平面視において前記嵌合部の内周面から前記嵌合部の径外方向へ伸びる１つ又は複数の切れ込みを備えることを特徴とする携帯型電子機器の画面保護用シートに用いられる剥離シート。
【請求項２】
スマートフォン等の携帯型電子機器の画面へ画面保護用シートを貼り付ける画面保護用シートの貼着装置であって、
前記画面保護用シートは、前記画面へ貼り付けられる裏面の一部又は全域に、再剥離性の糊による接着層が形成され、前記裏面に対し樹脂製の剥離シートが重ねられて前記裏面の少なくとも前記接着層を覆っており、前記剥離シートは前記画面保護用シートの少なくとも一辺からはみ出す延設部を備え、前記延設部には、嵌合部が設けられ、
前記嵌合部は、前記シート配置面に対する前記剥離シートの位置を決める位置決め穴であり、
前記嵌合部は、剥離シートの表裏に貫通し且つ平面視において前記嵌合部の内周面から前記嵌合部の径外方向へ伸びる１つ又は複数の切れ込みを備えるものであり、
前記貼着装置は、前記携帯型電子機器を配置する機器配置部と、前記剥離シートを剥離させる剥離動作部と、剥離シートが剥がされた前記画面保護用シートの裏面を前記画面へ貼り付ける貼着部とを備え、
前記貼着部は、前記画面保護用シートの表面側を保持する保持部と、前記保持部を移動させる移動部とを備え、
前記保持部は、前記機器配置部に対し離れた位置にて前記画面保護用シートを保持するものであり、
前記保持部にて保持させる位置へ前記画面保護用シートを配置するシート配置部を備え、
前記シート配置部は、画面保護用シートに重ねられた前記剥離シートと対面するように、前記画面保護用シートを配置するシート配置面を有するものであり、
前記シート配置面には、剥離シートの前記嵌合部に嵌め合わせることが可能な被嵌合部が設けられ、前記被嵌合部は、前記シート配置面から突出する位置決めピンであり、
前記保持部は、前記シート配置面へ配置されて前記嵌合部へ前記被嵌合部が嵌め合わされた状態の前記画面保護シートを保持し、
前記移動部は、前記画面保護用シートを保持した前記保持部を、前記機器配置部の前記携帯型電子機器に向けて移動させ、前記携帯型電子機器の前記画面へ前記画面保護用シートの前記裏面側を押し付けるものであり、
前記移動の少なくとも一過程において、前記移動部は、前記保持部について、前記画面保護用シートの前記一辺側を先頭にして前記画面保護用シートを前記画面保護用シートの厚み方向と略直交する方向へ移動させるものとし、
前記厚み方向と略直交する方向への移動中又は当該移動前、前記剥離動作部は、前記保持部に対し相対的に前記画面保護用シートの前記先頭と交差するよう移動することにより、前記延設部を前記画面保護用シートの前記厚み方向について押圧して前記剥離シートを前記画面保護用シートの前記先頭側から捲り、前記捲り後、前記剥離動作部は、前記厚み方向と略直交する方向へ移動する前記画面保護用シートの当該移動に対し相対的に略逆方向へ移動し、捲った前記剥離シートを前記画面保護用シートの裏面から漸次剥離させて行くものであり、
前記移動部は、前記剥離シートの前記剥離後の前記画面保護用シートの裏面側を、前記携帯型電子機器の前記画面へ押し付けるよう前記保持部を移動させることができる画面保護用シートの貼着装置。
【請求項３】
前記機器配置部は、携帯型電子機器を配置することができる機器配置面を有するものであり、
前記保持部は填合部を備え、
前記シート配置面と前記機器配置面は夫々、前記填合部へ嵌合することができる被填合部を備え、
前記填合部と前記被填合部の一方は凹部であり、前記填合部と前記被填合部の他方は当該凹部へ嵌合可能な凸部であり、
前記凸部は、前記凸部の先端に向け漸次径を小さくするガイド部位を備え、
前記填合部への前記被填合部の嵌合において前記ガイド部位が前記凹部の縁と接触して前記凸部を前記凹部内へ案内でき、
前記移動部が前記保持部の移動を停止させた状態において、前記填合部を前記被填合部へ近接・離反させる方向と交差する方向へ前記填合部が前記被填合部に対し変位できるよう前記移動部は前記保持部を保持し、前記シート配置部側に前記保持部を配位させた状態及び前記機器配置部側に前記保持部を配位させた状態の夫々において、前記填合部への前記被填合部の嵌合の際前記交差する方向についての前記被填合部に対する前記填合部のずれを前記変位にて修正できるものとした請求２記載の画面保護用シートの貼着装置。
【請求項４】
前記保持部は、画面保護用シートの保持に際し、剥離シートの前記延設部の一部の領域を非接触部位として当該非接触部位と接触しないものであり、
前記填合部が前記凹部であり、前記各被填合部が前記凸部であり、
前記剥離シートの前記延設部には、前記嵌合部が複数設けられ、
前記シート配置面には、前記被嵌合部が複数設けられ、
前記各被嵌合部も、被嵌合部の先端に向け漸次径を小さくするガイド部位を備え、
前記被嵌合部の少なくとも１つが、前記シート配置面の備える前記被填合部を兼ねるものであり、
前記シート配置面には、剥離シートの前記非接触部位と対面する部位に、前記被嵌合部のうち前記被填合部を兼ねていない他の被嵌合部が設けられたものであることを特徴とする請求項３記載の画面保護用シートの貼着装置。
【発明の詳細な説明】
【技術分野】
【０００１】
本願発明は、携帯型電子機器の画面保護用シートの貼着装置及びその画面保護用シートに用いられる剥離シートの貼着装置に関するものである。
【背景技術】
【０００２】
スマートフォンやタブレットなどの携帯端末にて代表されるように、最近の携帯型電子機器には、表示画面を操作面と兼用するものが増加の傾向にある。
このような状況下、携帯型電子機器の表示画面の損傷を防ぐため、当該表示画面へ貼り付けて使用する透明なプラスチックフィルムでできた画面保護用シートが普及しつつある。
この画面保護用シートには、画面へ貼り付けられる裏面へ、再剥離性の糊による接着層が形成されている。接着層は、当該裏面の全面へ設けられる場合もあるし、画面保護用シートの縁付近など当該裏面の一部へのみ設けられる場合もある。
何れの場合も、使用前の画面保護用シートが他へくっ付かないように、画面保護用シートの当該裏面に対し剥離シートが重ねられて当該裏面を覆っている。
画面保護用シートの使用に際しては、画面保護用シートの購入者が、画面保護用シートの裏面から剥離シートを剥がして、当該裏面を携帯型電子機器の画面へ貼り付けるのである。
【０００３】
しかし、画面保護用シートの携帯型電子機器の画面への上記貼り付けにおいて、不慣れな人や手先の不器用な人にとって画面のある位置へ適切に画面保護用シートを張り付けるのは難しく、面倒な作業である。このため、画面と画面保護用シートとの間へ埃を巻き込んだり、画面保護用フィルムに皺が寄ったりすることが往々にして生じた。
このような状況を鑑みて、特許文献１に示す画面保護フィルム貼付補助具が提案されている。
【０００４】
特許文献１へ示す画面保護フィルム貼付補助具は、機器に搭載されるモニタ画面に前記モニタ画面を保護するための保護フィルムを貼付するために用いられる画面保護フィルム貼付補助具であって、前記モニタ画面の少なくとも一部、及びその側面を囲うように成型されたフレームと、前記フレームを前記機器に装着して前記モニタ画面上をスライドさせることにより、前記モニタ画面に付着した除去対象物を除去するための除去用部材と、前記フレームに設けられ、前記除去用部材が前記モニタ画面上をスライドした後に、前記保護フィルムの貼付面が前記モニタ画面を向くように前記保護フィルムを供給するための供給用間隙部と、前記供給用間隙部を通して供給された前記保護フィルムの貼付面が前記モニタ画面に接するように押圧するための押圧用部材とを備えるものである。特許文献１のものでは、その図５へ示す通り、フレームを機器に装着してモニタ画面上をスライドさせることにより、除去用部材がモニタ画面に付着した汚れや埃を除去した後に、供給用間隙部から保護フィルムが供給され、押圧用部材で押圧されて保護フィルムがモニタ画面に貼付され、ユーザは、供給用間隙部から保護フィルムを供給しながら画面保護フィルム貼付補助具をモニタ画面上でスライドさせるだけで、容易にモニタ画面に保護フィルムを装着することができ、また、フレームは、モニタ画面の少なくとも一部、及びその側面を囲うように成型されるようにしたため、該フレームによって機器が保持された状態でスライドさせることができるため、保護フィルムを貼る際の位置ずれを防止することができるとされた。
【先行技術文献】
【特許文献】
【０００５】
【特許文献１】特許第５２４３６７０号公報
【発明の概要】
【発明が解決しようとする課題】
【０００６】
しかし、特許文献１は、相変わらず、人手にて上記画面への貼り付け作業を行う必要がある。また、当該貼付補助具によって改善されているとは言え、貼付補助具に対する保護フィルムの挿入は利用者が行わねばならず挿入の向きや仕方やスライドの速度によっては、皺が生じる危惧がある。
そこで、先ず第１に本願発明は、保護フィルム即ち画面保護用シートと当該画面保護用シートを貼り付ける携帯型電子機器とを所定の位置にセットするのみにて、人手を煩わすことなく自動的に、画面保護用シートを携帯型電子機器の画面へ貼り付ける貼着装置を提供して上記課題の解決を図る。
そして第２に本願発明は、特に画面保護用シートの剥離シートを利用して画面保護用シートを携帯型電子機器の画面へ正確に張り付けるため、貼着装置内での剥離シートの位置合わせを正確に行うことを可能とするものである。
具体的には、ＡＢＳ樹脂などのプラスチック製の剥離シートとアルミニウムなどの金属製の装置とでは、熱膨張率が大きく異なり、例えばＡＢＳ樹脂とアルミニウムとでは摂氏１度の温度変化に対し５倍の熱膨張率の違いがある。それゆえ、貼着装置を使用する地域の気候や時期或いは冷暖房等の室内環境の変化によって、正確な剥離シートの位置合わせができず、上記自動化を阻む危惧があった。
このため特に本願発明は、画面保護用シートに設けられた剥離シートについて、貼着装置に対する位置決めが正確に行えるものとして上記課題の解決を図る。
更に第３に本願発明は、貼着装置の動作に関し、細かな設定や調整を必要とする数値制御に全面的に頼らずとも、精度の高い保護フィルムの貼り付けを可能として、上記課題の解決を図る。
【課題を解決するための手段】
【０００７】
本願発明では、スマートフォン等の携帯型電子機器の画面へ貼り付けられて当該画面を保護する画面保護用シートについて、当該画面保護用シートに設けられた樹脂製の剥離シートであって、前記貼り付け後前記画面保護シートから剥がされるものであり、前記剥離シートは、嵌合部を備え、前記剥離シートから画面保護用シートを剥離させて画面保護用シートの前記貼着を行う貼着装置について、前記貼着装置の備える位置決めピンを被嵌合部として、前記嵌合部は、前記被嵌合部が嵌め合された状態にて、前記剥離シートの前記貼着装置に対する位置を決める位置決め穴であり、前記嵌合部は、剥離シートの表裏に貫通し且つ平面視において前記嵌合部の内周面から前記嵌合部の径外方向へ伸びる１つ又は複数の切れ込みを備えることを特徴とする携帯型電子機器の画面保護用シートに用いられる剥離シートを提供できた。
尚、ここでいうスマートフォン等の携帯型電子機器は、携帯できる電子機器であって画面保護用シートにて保護するディスプレイを備えたものであればよく、スマートフォン、タブレット、携帯電話、ＰＤＡ、携帯ゲーム機、電子辞書、電子書籍の携帯型可読装置、携帯ナビゲーション機、ノートパソコン、デジタルカメラ、携帯型テレビ、携帯型音楽再生装置、携帯型動画再生装置を含む。
上記の「画面へ画面保護用シートを貼り付ける」とは、画面にのみ画面保護用シートを張り付ける場合も、画面を含んで画面よりも広い領域にで画面保護用シートを貼り付ける場合も、画面の一部にのみ画面保護用シートを貼り付ける場合も含む。例えば、携帯型電子機器の一面全域が画面である場合と他当該一面の一部の領域が画面の場合の何れの場合も画面を超え当該全域に画面保護用シートを貼り付けるものとしてもよい。上記と逆に画面の一部の領域にのみ液晶部或いは感圧センサ部が設けられている場合は、画面中当該一部の領域即ち保護を必要とする領域にのみ画面保護用シートを張り付けるものとしてもよい。
また本願発明は、スマートフォン等の携帯型電子機器の画面へ画面保護用シートを貼り付ける画面保護用シートの貼着装置について、次の構成を採るものを提供できた。
即ち、前記画面保護用シートは、前記画面へ貼り付けられる裏面の一部又は全域に、再剥離性の糊による接着層が形成され、前記裏面に対し樹脂製の剥離シートが重ねられて前記裏面の少なくとも前記接着層を覆っており、前記剥離シートは前記画面保護用シートの少なくとも一辺からはみ出す延設部を備え、前記延設部には、嵌合部が設けられ、前記嵌合部は、前記シート配置面に対する前記剥離シートの位置を決める位置決め穴であり、前記嵌合部は、剥離シートの表裏に貫通し且つ平面視において前記嵌合部の内周面から前記嵌合部の径外方向へ伸びる１つ又は複数の切れ込みを備えるものであり、前記貼着装置は、前記携帯型電子機器を配置する機器配置部と、前記剥離シートを剥離させる剥離動作部と、剥離シートが剥がされた前記画面保護用シートの裏面を前記画面へ貼り付ける貼着部とを備え、前記貼着部は、前記画面保護用シートの表面側を保持する保持部と、前記保持部を移動させる移動部とを備え、前記保持部は、前記機器配置部に対し離れた位置にて前記画面保護用シートを保持するものであり、前記保持部にて保持させる位置へ前記画面保護用シートを配置するシート配置部を備え、前記シート配置部は、画面保護用シートに重ねられた前記剥離シートと対面するように、前記画面保護用シートを配置するシート配置面を有するものであり、前記シート配置面には、剥離シートの前記嵌合部に嵌め合わせることが可能な被嵌合部が設けられ、前記被嵌合部は、前記シート配置面から突出する位置決めピンであり、前記保持部は、前記シート配置面へ配置されて前記嵌合部へ前記被嵌合部が嵌め合わされた状態の前記画面保護シートを保持し、前記移動部は、前記画面保護用シートを保持した前記保持部を、前記機器配置部の前記携帯型電子機器に向けて移動させ、前記携帯型電子機器の前記画面へ前記画面保護用シートの前記裏面側を押し付けるものであり、前記移動の少なくとも一過程において、前記移動部は、前記保持部について、前記画面保護用シートの前記一辺側を先頭にして前記画面保護用シートを前記画面保護用シートの厚み方向と略直交する方向へ移動させるものとし、前記厚み方向と略直交する方向への移動中又は当該移動前、前記剥離動作部は、前記保持部に対し相対的に前記画面保護用シートの前記先頭と交差するよう移動することにより、前記延設部を前記画面保護用シートの前記厚み方向について押圧して前記剥離シートを前記画面保護用シートの前記先頭側から捲り、前記捲り後、前記剥離動作部は、前記厚み方向と略直交する方向へ移動する前記画面保護用シートの当該移動に対し相対的に略逆方向へ移動し、捲った前記剥離シートを前記画面保護用シートの裏面から漸次剥離させて行くものであり、前記移動部は、前記剥離シートの前記剥離後の前記画面保護用シートの裏面側を、前記携帯型電子機器の前記画面へ押し付けるよう前記保持部を移動させることができるものを提供できた。
更に本願発明では、前記機器配置部は、携帯型電子機器を配置することができる機器配置面を有するものであり、前記保持部は填合部を備え、前記シート配置面と前記機器配置面は夫々、前記填合部へ嵌合することができる被填合部を備え、前記填合部と前記被填合部の一方は凹部であり、前記填合部と前記被填合部の他方は当該凹部へ嵌合可能な凸部であり、前記凸部は、前記凸部の先端に向け漸次径を小さくするガイド部位を備え、前記填合部への前記被填合部の嵌合において前記ガイド部位が前記凹部の縁と接触して前記凸部を前記凹部内へ案内でき、前記移動部が前記保持部の移動を停止させた状態において、前記填合部を前記被填合部へ近接・離反させる方向と交差する方向へ前記填合部が前記被填合部に対し変位できるよう前記移動部は前記保持部を保持し、前記シート配置部側に前記保持部を配位させた状態及び前記機器配置部側に前記保持部を配位させた状態の夫々において、前記填合部への前記被填合部の嵌合の際前記交差する方向についての前記被填合部に対する前記填合部のずれを前記変位にて修正できるものとした画面保護用シートの貼着装置を提供できた。
また更に本願発明では、前記保持部は、画面保護用シートの保持に際し、剥離シートの前記延設部の一部の領域を非接触部位として当該非接触部位と接触しないものであり、前記填合部が前記凹部であり、前記各被填合部が前記凸部であり、前記剥離シートの前記延設部には、前記嵌合部が複数設けられ、前記シート配置面には、前記被嵌合部が複数設けられ、前記各被嵌合部も、被嵌合部の先端に向け漸次径を小さくするガイド部位を備え、前記被嵌合部の少なくとも１つが、前記シート配置面の備える前記被填合部を兼ねるものであり、前記シート配置面には、剥離シートの前記非接触部位と対面する部位に、前記被嵌合部のうち前記被填合部を兼ねていない他の被嵌合部が設けられたものである画面保護用シートの貼着装置を提供できた。
【発明の効果】
【０００８】
本願発明は、スマートフォン等の携帯型電子機器の画面へ自動的に画面保護用シートを貼り付ける画面保護用シートの貼着装置を提供できた。
特に、画面へ貼り付けられる裏面側へ再剥離性の糊の接着層を備え且つ当該裏面に対し剥離シートが重ねられた画面保護用シートにおいて、剥離シートを円滑に剥がすことができ、画面保護用シートへ皺が生じるのを抑制できた。
更に、被嵌合部をなす位置合わせピンが嵌合部をなす位置合わせ穴に対し大きなものであっても、切れ込みを押し広げて強制嵌合することができ、嵌合部と被嵌合部の嵌め合わせによる剥離シートのシート配置面へ対する位置合わせが確実に行える。
このように位置合わせ穴である嵌合部へ切れ込みを設けることによって、熱膨張率の差にて被嵌合部をなす位置合わせピンと嵌合部をなす位置合わせ穴の大きさに差が生じて被嵌合部が被嵌合部に合わない大きさとなったとしても、被嵌合部を嵌合部へ嵌め合わせることができるのである。また嵌合部の切れ込みの形成することによって、押し広げられて撓んだ剥離シートの弾力により嵌合部の径の中心へ向け被嵌合部を偏りなく押し付けることができ、被嵌合部の中心軸を嵌合部の中心軸へ一致させる作用即ちセンタリングの作用が生じ、より正確な位置合わせが行える。実施の形態レベルの効果として、このセンタンリングの作用は、特に複数の切れ込みを放射状に設けることによって、特に顕著にすることを期すことができる。
また、切れ込みを設けることにより、熱膨張を考慮して余分な遊びを設けるということなく、当初より被嵌合部と嵌合部の両径を一致させて形成することができ、熱膨張の影響のない通常状態においても、より精度の高い位置合わせが行える。
また、本願発明では、上記のセンタリングの作用に加え、填合部と被填合部における凸部のガイド部位によると凹部への案内と、移動部による保持部の保持における上記変位の許容によって、填合部と被填合部との間のずれを修正することができ、保持部を、シート配置面及び機器配置面に対して正確に近づけることができる。従って、詳細な事前の設定や調整を必要とする数値制御に全面的に頼らずとも、位置センサなどによる簡便な移動部の停止制御にて、保持部をシート配置面と機器配置面の所定の位置へ正確に接近させることができる。
特に、上記ガイド部位を備えた凸部をシート配置面の被填合部として、被嵌合部を兼ねさせることにより、保持部とシート配置面と剥離シートの三者間における位置合わせを一元に行え、その上で保持部と機器配置面との間における位置合わせの精度を高めた。
更に被嵌合部もガイド部位を備えることにより、切れ込みを備えた嵌合部へより円滑に嵌め合せることができる。
また、シート配置面は、保持部が接触を避ける剥離シートの前記非接触部位と対面する部位に、前記被嵌合部のうち前記被填合部を兼ねていない他の被嵌合部を備えることにより、被嵌合部が保持部の画面保護用シートとの接触の邪魔にならず、各被嵌合部を嵌合部へ嵌め合わせた状態のままで、画面保護用シートのシート配置面から保持部への受け渡しが行え、当該受け渡しにおいて画面保護用シートが保持部の適切な位置からずれる余地を無くした。
上述の通り、本願発明の実施により、極めて正確な携帯型電子機器への画面保護用シートの貼り付けが行える。
【図面の簡単な説明】
【０００９】
【図１】（Ａ）は本願発明に係る画面保護用シートの貼着装置の一実施の形態を示す略全体正面図、（Ｂ）は（Ａ）の画面保護用シートの貼着装置の略全体背面図。
【図２】（Ａ）は図１（Ａ）の画面保護用シートの貼着装置の内部構造を破線で示す略全体正面図、（Ｂ）は（Ａ）の内部構造の略正面図。
【図３】（Ａ）は図１（Ａ）の画面保護用シートの貼着装置の使用前の要部（機器配置部）の平面図、（Ｂ）は（Ａ）のＸ−Ｘ断面図、（Ｃ）は（Ａ）の画面保護用シートの貼着装置をスマートフォンに使用している状態を示す要部平面図。
【図４】（Ａ）は図３（Ｃ）の画面保護用シートの貼着装置をタブレットに使用している状態を示す要部平面図、（Ｂ）は図１（Ａ）の画面保護用シートの貼着装置の要部（主としてシート配置部）へ画面保護用シートを配置した状態を示す平面図。
【図５】（Ａ）は図１（Ａ）の画面保護用シートの貼着装置の要部（吸着部）の底面図、（Ｂ）（Ａ）のＹ−Ｙ断面図、（Ｃ）は（Ａ）のＺ−Ｚ断面図。
【図６】（Ａ）〜（Ｃ）は、図２（Ｂ）へ示す画面保護用シートの貼着装置の稼働の各過程を示す内部構造の略正面図。
【図７】（Ａ）〜（Ｃ）は、図６（Ｃ）の状態以降について、図２（Ｂ）へ示す画面保護用シートの貼着装置の稼働の各過程を示す内部構造の略正面図。
【図８】（Ａ）は図６（Ｂ）から図６（Ｃ）への移行過程の詳細を示す上記画面保護用シートの貼着装置の要部（シート配置部及び剥離動作部の）略正面図、（Ｂ）は上記装置にて携帯型電子機器の画面へ貼り付けられる画面保護用シートｍの略断面図。
【図９】（Ａ）は他の実施の形態に係る貼着装置の内部構造の略正面図、（Ｂ）は（Ａ）の貼着装置へ画面保護用シートと当該画面保護シートが貼り付けられる携帯型電子機器をセットした状態を示す略正面図。
【図１０】図９（Ａ）へ示す貼着装置の要部（主としてシート配置部及び機器配置部）の平面図。
【図１１】（Ａ）は図９（Ａ）へ示す貼着装置の要部（保持部）側面の一部切欠説明図、（Ｂ）は（Ａ）の正面を示す一部切欠説明図、（Ｃ）は（Ａ）の保持部を降下させた状態を示す一部切欠説明図、（Ｄ）は（Ｃ）の正面を示す一部切欠説明図、（Ｅ）は（Ａ）の保持部の底面図、（Ｆ）は（Ｄ）の要部を平面視した状態を示す説明図。
【図１２】（Ａ）は上記装置にて携帯型電子機器の画面へ貼り付けられる画面保護用シートｍの平面図、（Ｂ）及び（Ｅ）は（Ａ）の画面保護用シートの要部（剥離シートの嵌合部）を示す一部切欠平面図、（Ｃ）は（Ｂ）のＸ−Ｘ断面図、（Ｄ）は（Ｂ）の嵌合部へ被嵌合部が嵌め合わされた状態を示す一部切欠正面図、（Ｆ）は（Ｅ）のＹ−Ｙ断面図、（Ｇ）は（Ｅ）の嵌合部へ被嵌合部が嵌め合わされた状態を示す一部切欠正面図、（Ｈ）は（Ａ）のシートを正面視した状態を示す拡大説明図。
【図１３】（Ａ）〜（Ｃ）は、図９（Ａ）（Ｂ）へ示す貼着装置の稼働の各過程を示す内部構造の略正面図。
【図１４】（Ａ）〜（Ｃ）は、図１３（Ｃ）の以降の上記貼着装置の稼働の各過程を示す内部構造の略正面図。
【図１５】図１０へ示すシート配置部へ画面保護用シートをセットし、同図１０の機器配置部へ携帯型電子機器（スマートフォン）をセットした状態を示す平面図。
【図１６】図１５のシート配置部上の画面保護用シートを保持する図１１（Ａ）〜（Ｅ）へ示す保持部（吸着部）と、シート配置部及び画面保護用シートの平面視における位置関係を当該保持部を透視して示す説明図。
【図１７】図１６へ示す装置が図１３（Ｃ）へ示す工程へ移行した状態を平面視した説明図。
【図１８】図１７へ示す装置が図１４（Ｃ）へ示す工程へ移行した状態を平面視した説明図。
【発明を実施するための形態】
【００１０】
以下、図面に基づき本願発明の実施の形態を説明する。尚、各図において、説明の便宜上、装置についてＵは上方、Ｓは下方、Ｆは前方、Ｂは後方、Ｌは左側、Ｒは右側を示す。但し画面保護用シートｍの各辺の命名は、当該装置の前後左右と異なり処理中のシートの進行方向を基準としている。
【００１１】
尚図８（Ｂ）において、図面の煩雑を避けるため、ハッチングは省略する。
ここでは、画面保護用シートｍが液晶画面に貼り付けられる携帯型電子機器ｋとして、スマートフォン及びタブレットを例示する。
【００１２】
（画面保護用シートｍ）
先ず、本願発明に係る装置によって、上記携帯型電子機器ｋの画面へ貼り付けられる画面保護用シートｍについて説明する。
図４（Ｂ）及び図８（Ａ）へ示す通り、画面保護用シートｍは、図中右側の前辺ｍａと、図中手前（下）側の側辺ｍｂと、図中奥（上）側の側辺ｍｃと、図中左側の後辺ｍｄとに象られた平面視略矩形に形成されたプラスチック製の透明フィルムである。
【００１３】
画面保護用シートｍは、この例では、その下面即ち裏面ｍ２側の全域に再剥離性の糊による接着層が形成されている（図示は省略）。但し上記裏面ｍ２の一部にのみ接着層が形成されるものを排除するものではない。
図４（Ｂ）及び図８（Ｂ）へ示す通り、画面保護用シートｍの上記裏面ｍ２には、剥離シートｎが重ねられて裏面ｍ２を覆っている。
【００１４】
剥離シートｎは、この例では、画面保護用シートｍの上記形状に対応して平面矩形のプラスチック製のフィルムである。
画面保護用シートｍの平面視において、剥離シートｎは、この例では、画面保護用シートｍの各辺からはみ出す延設部を備える。図４（Ｂ）において、ｎａは前記延設部のうち画面保護用シートｍの前辺ｍａから図中左側即ち処理中のシートの移動方向へはみ出す前延設部を、ｎｂは上記手前側の側辺ｍｂから手前側へはみ出す側延設部を、ｎｃは上記奥側の側辺ｍｃから奥側へはみ出す側延設部を、ｎｄは処理中のシートの上記後辺ｍｄからシートの移動方向と反対方向へはみ出す後延設部を示している。
【００１５】
この例では、図４（Ｂ）及び図８（Ｂ）へ示す通り、前延設部ｎａと側延設部ｎｂの夫々に、剥離シートｎの上面ｎ１から下面ｎ２へ貫通穴が嵌合部ｎ３として設けられている。
但し、嵌合部ｎ３の配置や数は、図示したものに限定するものではなく、前延設部ｎａ及び側延設部ｎｂ以外の延設部に設けて実施することも可能である。
【００１６】
また、嵌合部ｎ３は後述する被嵌合部と嵌め合わせることができればよく、上記貫通穴以外に、剥離シートｎの縁に切欠部を設けて実施するものとしてもよいし、上記貫通穴や切欠部を別途設けるのではなく例えば嵌合部ｎ３を平面視矩形の剥離シートｎ自身の四隅としても実施できる。
【００１７】
剥離シートｎの画面保護用シートｍに重なる位置や、剥離シートｎの寸法、剥離シートｎの形状、剥離シートｎにおける嵌合部ｎ３の位置の何れかを変更することによって、画面保護用シートの寸法又は形状の変更即ち携帯型電子機器ｋの変更への対応に必要となる装置側の調整の手間を少なくすることができる。特に、画面保護用シートｍの寸法や形状が変更されて剥離シートｎの画面保護用シートｍに重なる位置が変わっても、当初より各変更に対応できる位置に嵌合部ｎ３を設けることにより、上記変更において、剥離シートｎの寸法、剥離シートｎの形状、当該嵌合部ｎ３の位置を変えずに対応することができ、より一層手間が省ける。この場合、当初より当該嵌合部ｎ３の位置と対応する位置に後述の被嵌合部を設定しておけばよい。
【００１８】
（装置の全体構成）
図１及び図２へ示す通り、この画面保護用シートの貼着装置は、ケース１と、ケース内へ収容された内部機構（図２（Ｂ））とを備える。
上記の内部機構は、機器配置部２と、シート配置部３と、剥離機構部４と、貼着部５と、電源部（図示しない。）と、各部の動作を制御する制御部（図示しない。）とを備える。
【００１９】
以下各部の詳細について順に説明する。
（ケース１）
ケース１は、図１へ示す通り、略直方体の筺体である。この例では、ケース１は、主として、内部を観察可能な透明プラスチックにて形成されている。
【００２０】
図１（Ａ）へ示す通り、ケース１の正面には、ケース１の外から未使用の上記画面保護用シートｍをケース１内へ挿入してシート配置部３へ配置するための第１開閉部１１が設けられている。第１開閉部１１の隣（右）には、ケース１対し携帯型電子機器ｋを出し入れするための第２開閉部１２が設けられている。また、この例では、第２開閉部１２の下方に、使用済みの剥離シートｎを回収するための第３開閉部１３が設けられている。
【００２１】
第１開閉部１１、第２開閉部１２及び第３開閉部１３の夫々は、ケース１に設けられた開口部と、当該開口部を開閉自在に塞ぐ扉とにて構成される。
ケース１には、商用電源と接続されて上記電源部へ電気を供給する電源コードが設けられている（図示しない）。
【００２２】
図１（Ｂ）へ示す通り、ケース１背面にはファン１４が設けられている。ファン１４は、外気をケース１内へ導入することにて装置の使用中ケース１内を加圧状態にし、ケース１外部から塵や埃が侵入するのを防止する。ファン１４には防塵フィルターを内蔵したものを採用するのが好ましい。
【００２３】
ファン１４は、ケース１背面に限定するものではなく、ケース１の他の位置に設けて実施してもよい。
また、ケース１の表面には、装置の各設定や電源のオン・オフを行う操作部が設けられている（図示は省略する）。
【００２４】
（機器配置部２）
図３（Ａ）（Ｃ）へ示す通り、機器配置部２は、平面視長方形の台板である。機器配置部２の上面は、携帯型電子機器ｋを配置することができる配置面２１をなすものである。以下必要に応じて配置面２１を機器配置面２１と呼ぶ。
【００２５】
図２（Ａ）へ示す通り、機器配置部２は、第２開閉部１２から携帯型電子機器ｋを配置することができるようにケース１内にて第２開閉部１２の近傍に設けられている。
図２（Ｂ）へ示す通り、ケース１には、ケース１内を前後方向Ｆ，Ｂに伸びる即ち、図２（Ｂ）において奥から手前側に伸びるガイドレール２４が設けられている。機器配置部２の下面には、ガイドレール２４に案内されてされるガイド部２５が設けられている。ガイドレール２４にガイド部２５が案内されることによって、機器配置部２は、前後に移動することができる。当該移動によって、第２開閉部１２から、機器配置部２を出し入れすることができる。そして、ケース１外部へ引き出した機器配置部２の配置面２１へ携帯型電子機器ｋを置くことができる。
【００２６】
ガイドレール２４は、図示を省略するが、後方Ｂ側から前方Ｆ側へ向けて漸次高くなるように若干傾斜している。
図３（Ｃ）へ示す通り、配置面２１は、配置面２１上の携帯型電子機器ｋを取り囲むように配置面２１上に設けられて携帯型電子機器ｋの側面の各位置と当接する、複数の当接部２２を備える。
【００２７】
複数の当接部２２の一部は、配置面２１上の定位置に設けられて位置合わせ部２２ａをなし、複数の当接部２２の他の一部は、前記配置面２１上の携帯型電子機器ｋに対する当たりとして、携帯型電子機器ｋの移動を規制して、位置合わせ部２２ａから離れるのを規制する規制部２２ｂをなしている。
【００２８】
図３（Ｃ）及び図４（Ａ）へ示す通り、位置合わせ部２２ａは、配置面２１上に置かれた携帯型電子機器ｋの一つの角ｋ３を挟む２つの当たりである。
規制部２２ｂは、位置合わせ部２２ａに対する位置を変更できるように前記配置面２１上へ設けられている。
【００２９】
具体的には、位置合わせ部２２ａは、配置面２１から突出する突起であり、配置面２１へ固定されている。但しこの例では、配置面２１には、図３中黒丸で示す複数の凹み部が設けられており、位置合わせ部２２ａは当該凹み部へ差し込むことによって固定することができるピンであり、差し込む凹み部を選択することによって位置合わせ部２２ａの位置を調整できるものとなっている。但し、使用しない凹み部を設けないものとし或いは位置合わせ部２２ａを配置面２１から分離できないものとし、位置合わせ部２２ａの当該位置調整は行わないものとしても実施できる。
【００３０】
一方この例では、各規制部２２ｂは、配置面２１をスライドすることによって、位置合わせ部２２ａへ接近し或いは離反することができる。
詳しくは、図３（Ａ）へ示す通り、機器配置部２には、上記スライドの方向に伸びる溝２３が形成されている。図３（Ｂ）へ示す通り、溝２３の伸びる方向と直交する方向の溝２３の幅については、溝２３の奥側が溝２３の開口部側よりも大きい。一方、露出する規制部２２ｂの先端側と異なり、溝２３内に収容される規制部２２ｂの基部側は、溝２３の伸びる方向と直交する方向の溝２３の開口幅よりも大きな幅を備え、規制部２２ｂは溝２３から脱落しない。
【００３１】
図３（Ｃ）は、携帯型電子機器ｋとしてスマートフォンｋ１を配置した例を示し、図４（Ａ）は携帯型電子機器ｋとしてタブレットｋ２を配置した示す。このような携帯型電子機器ｋの変更に関わらず位置合わせ部２２ａにて必ず定位置を基準として携帯型電子機器ｋの配置位置を合わせることができる。そして、このような携帯型電子機器ｋの変更に対し、各規制部２２ｂの上記スライドによる位置の変更にて対応することができるのである。
尚、図示した以外に、携帯型電子機器ｋの変更を頻繁に行わない場合などにおいて規制部２２ｂをネジ止めにより一旦調整した位置がずれないようにしても実施できる（図示しない）。
【００３２】
（シート配置部３）
図２（Ｂ）及び図４（Ｂ）へ示すシート配置部３は、画面保護用シートｍを、後述する吸着部５１に保持させる位置へ配置するものである。
【００３３】
シート配置部３は、上面をシート配置面３１とする台であり、ケース１へ固定されている。シート配置部３は、装置の側面視において略コ字状を呈し、コ字の両端がケース１の底部上面へ固定されている。
図２（Ａ）へ示す通り、シート配置部３は、第１開閉部１１から画面保護用シートｍをセットできるようにケース１内において第１開閉部１１の近傍に設けられている。
【００３４】
シート配置面３１には画面保護用シートｍが置かれ、シート配置面３１は画面保護用シートｍに重ねられた剥離シートｎの下面ｎ２と対面する（図６（Ａ））。
図２（Ｂ）及び図４（Ｂ）へ示す通り、シート配置面３１には、剥離シートｎの嵌合部ｎ３に嵌め合わされてシート配置面３１に対おける画面保護用シートｍの位置決めを行う被嵌合部３２が設けられている。
【００３５】
被嵌合部３２は、周知の手段にて、シート配置面３１から出没自在にシート配置部３へ設けられた突起である。図示は省略するが、例えば、シート配置部３はモータにて駆動されるカム機構を備えるものとし、前記制御部が当該モータを制御して当該カム機構を稼働し被嵌合部３２を収容する受容凹部内からシート配置面３１に対し出没させるものとして実施することができる。
後述する吸着部５１にてシート配置面３１上の画面保護用シートｍを吸着する際に、制御部は、被嵌合部３２を、シート配置面３１から没せしめて、嵌合部ｎ３から離脱させる。
【００３６】
（貼着部５）
図２（Ａ）（Ｂ）へ示す通り、貼着部５は、画面保護用シートｍの表面ｍ１側を吸着保持する保持部としての吸着部５１と、吸着部５１を移動させる移動部５２と、前記吸着部へ接続された一つ又は複数の負圧供給部と、複数の弁５３とを備える。
【００３７】
図５（Ａ）〜（Ｃ）へ示す通り、吸着部５１は、画面保護用シートｍの前記表面と対面する平らな当接面５１ｃを備える。当接面５１ｃには、複数の吸引口５１ａ，５１ｂが設けられている。前記負圧供給部は、吸引口５１ａ，５１ｂへ負圧を供給して、当接面５１ｃへ画面保護用シートｍの表面ｍ１側を吸着させる。
【００３８】
吸引口５１ａ，５１ｂの夫々は、吸着を予定する画面保護用シートｍのうち最大の寸法のものに対応するよう互いの間隔を開けて、当接面５１ｃに分布する。この例では、取り扱う最小の画面保護用シートｍはスマートフォンｋ１用であり、図５（Ａ）へ二点鎖線で示す通りその画面ｇに対応する領域ａに、吸引口の一部（吸引口５１ａ）が分布する。そしてこの例では、取り扱う最大の画面保護用シートｍはタブレットｋ２用であり、図５（Ａ）へ破線で示す通りその画面ｇに対応する領域ｂに、吸引口５１ａ，５１ｂの全てが分布する。即ち、上記の領域ａは領域ｂに包含されるので、スマートフォンｋ１に対応する上記領域ａの吸引口５１ａは、タブレットｋ２に対応する上記領域ｂにて、他の一部の吸引口５１ｂと共に分布するものでもある。
【００３９】
吸着部５１は、前記負圧供給部との接続部から複数の吸引口５１ａ，５１ｂの夫々へ向けて分岐して伸びる通路を内部に備えたマニフォールドである。また、弁５３は、電磁弁である。
スマートフォンｋ１の画面保護用シートｍを吸着する際、複数の吸引口５１ａ，５１ｂのうち上記他の一部の吸引口５１ｂへの負圧の供給を一部の弁５３が遮断する。
【００４０】
即ち、弁５３は、最大の寸法の画面保護用シートｍよりも小さい寸法の画面保護用シートｍを吸着する際に、上記の通り当接面５１ｃにおいて当該画面保護用シートｍと対面しない領域（領域ｂから領域ａを除いた領域）に設けられた吸引口５１ｂへの、負圧の供給を遮断するのである。
【００４１】
この例では、スマートフォンとタブレットとの二種に対応するものとしたが、三種以上の携帯型電子機器に対応するものとしても実施でき、その場合、領域ａ，ｂの他、スマートフォンとタブレット以外の携帯型電子機器の画面に対応する領域を設定し、当該領域に対応する吸引口や弁５３を増やせばよい（図示は省略する）。
【００４２】
図２（Ａ）（Ｂ）へ示す通り、移動部５２は、先端側に上記吸着部５１が設けられたピストン部５２ａと、ピストン部５２ａを出没自在に収容するシリンダ部５２ｂと、ケース１に設けられた案内部５２ｃとを備える。
案内部５２ｃは、図２（Ａ）（Ｂ）において左右方向Ｌ，Ｒへ伸びるガイドバーであり、シリンダ部５２ｂは案内部５２ｃに取り付けられ、モータ等の駆動装置にて、ケース１内を左右方向Ｌ，Ｒへ移動することができる。案内部５２ｃは、シート配置部３上方から機器配置部２上方へ向けて伸びる。
【００４３】
上記構成にて、移動部５２は、案内部５２ｃに沿ってシート配置部３から機器配置部２に向け横方向へ吸着部５１を移動させることができるのである。
ピストン部５２ａは、ピストン部５２ａから出没することによって、シリンダ部５２ｂに対して上下に移動することができる。また、この例では、ピストン部５２ａ内にはシリンダ部５２ｂ内から吸着部５１へ接続され且つピストン部５２ａがシリンダ部５２ｂから下方へ伸び出た際にシリンダ部５２ｂ内に発生する負圧を吸着部５１へ導く吸気路が設けられている（図示しない）。即ち、この例では、ピストン部５２ａとシリンダ部５２ｂとが上記負圧供給部を構成するのである。但し、ピストン部５２ａとシリンダ部５２ｂを上記負圧供給部として利用する以外に、上記負圧供給部として別途エアポンプを吸着部５１へ接続するものとしても実施できる。
【００４４】
移動部５２は、剥離機構部４による後述の剥離シートｎ剥離後、機器配置部２の上方へ到達した吸着部５１をピストン部５２ａを伸ばすことにより更に降下させ、画面保護用シートｍの裏面ｍ２側を、携帯型電子機器ｋの画面ｇへ押し付けることができる。
【００４５】
（剥離機構部４）
図２（Ｂ）、図４（Ｂ）及び図８（Ａ）へ示す通り、剥離機構部４は、移動部５２による画面保護用シートｍの移動中、前記剥離シートｎを画面保護用シートｍの裏面ｍ２から剥離させるものである。この例では、剥離機構部４は、画面保護用シートｍの図２（Ｂ）の左方Ｌから右方Ｒへの移動中に、前記剥離シートｎを画面保護用シートｍの裏面ｍ２から剥離させる。
具体的には、剥離機構部４は、剥離動作部４１と、作動部４２と、軸止部４３と、受け部４４と、駆動部４５と、排出案内部４６とを備える。
この例では、剥離動作部４１はフリーのローラであり、作動部４２は当該ローラを回動自在に保持する２本のアームであり、軸止部４３は当該アームを揺動可能に軸止する。
【００４６】
作動部４２の２本のアームの先端間にて、剥離動作部４１であるローラは、回動自在に保持されている（図４（Ｂ））。軸止部４３は作動部４２の２本のアームの基部側を軸止する。軸止部４３はモータ等の動力源（図示しない。）から動力を得て当該基部側を中心に２本のアームを揺動する。この揺動によって、剥離動作部４１であるローラは、図２（Ｂ）及び図８の左方Ｌから右方Ｒへの移動中の画面保護用シートｍの進行方向に対し上方から下方へ移動して交差することができる。受け部４４は駆動部４５から動力の供給を受けて自転する回転ローラである。駆動部４５にはモーター等周知の駆動手段を採用する。受け部４４である回転ローラはケース１の定位置に固定されている。受け部４４である回転ローラは、上記揺動にて降下してきた剥離動作部４１のローラとの間に剥離シートｎを挟むことができる。排出案内部４６は、画面保護用シートｍから剥離した剥離シートｎを第３開閉部１３の近傍へ案内する。
【００４７】
上記の通り、図２（Ｂ）の左方Ｌから右方Ｒへの移動中、即ち画面保護用シートｍの厚み方向と略直交する方向への移動中、剥離動作部４１は、吸着部５１に対し相対的に画面保護用シートｍの前記先頭と交差するよう移動することにより、前延設部ｎａを画面保護用シートｍの前記厚み方向即ち下方へ押圧し剥離シートｎを画面保護用シートｍの前記先頭側から捲ることができる。
【００４８】
前記捲り後、剥離動作部４１は、前記厚み方向と略直交する方向へ移動する画面保護用シートｍの当該移動に対し相対的に略逆方向へ移動し、捲った剥離シートｎを画面保護用シートｍの裏面から漸次剥離させて行く。この相対的に逆方向へというのは、移動中の画面保護用シートｍ側から見てということであり、剥離動作部４１は必ずしもケース１に対して画面保護用シートｍと逆方向に移動している必要はない。
【００４９】
（電源部）
上記電源部は、上記電源コードを通じ外部の商用電源から上記内部機構へ電気を供給する。但し、商用電源に限定するのではなく、バッテリを使用するものとしてもよい。
【００５０】
（制御部）
制御部は、電源部から電気の供給を受け、上述してきた各駆動手段や動力源への電気の供給を制御して、貼着装置の上記各部の動作を制御する。
図示は、省略するが、制御部にはセンサが接続され、上記各部の作動時期を検出して、各部の動作のタイミングを合わせるものとしても実施できる。例えば、吸着部５１とケース１内の吸着部５１の移動経路中に、発光部と受光部とにて構成された光センサを設けて受光部が発光部が発する光を受光したとき或いは受光部がそれまで受光していた発光部の光を遮断されたときを基準として、各部に次の動作を開始させるものとしても実施できる。また、このような光センサに代えて感圧センサなどの物理センサを用いるものとしても実施できる。更には、各駆動手段や動力源にサーボモータを採用し、モータの回転軸の向きや回転数を検出して、各部の作動のタイミングを検出するものとしても実施できる。この他、制御部にはタイマが設けられ、作動開始時点からの時間の経過を検出して、各部の作動のタイミングを図るものとしても実施できる。
【００５１】
（装置の運用）
装置の運用について説明する。
上記操作部の操作により、電源部をオンにし、ファン１４を作動させて、ケース１内を加圧状態にする。
【００５２】
装置の使用開始時、吸着部５１は移動部５２により機器配置部２の配置面２１の真上に配置されている。即ち、左右方向について吸着部５１は図７（Ｂ）に示すのと同様の位置にある。但し、吸着部５１は、図７（Ｂ）と異なり画面保護用シートｍを吸着していない状態で機器配置部２の配置面よりも上方に後退しており、携帯型電子機器ｋも機器配置部２の配置面２１上にはない。このときシート配置部３の被嵌合部３２については、図２（Ｂ）に示すようにシート配置面３１から突出している。また、剥離機構部４の軸止部４３は、作動部４２の先端側を下方に向け、剥離動作部４１をシート配置面３１より下方へ配置した状態を維持している。
【００５３】
利用者は、第１開閉部１１の扉を開いて、ガイドレール２４（図２（Ｂ））に沿って手前に機器配置部２を引き出す。図３（Ｂ）又は図４（Ａ）へ示す通り、機器配置部２の配置面２１上の所定の位置へ携帯型電子機器ｋを配置する。当該配置において前述の当接部２２にて、機器配置部２の配置面２１上の所定の位置へ適切に携帯型電子機器ｋの位置合わせを行う。当該配置後、引き出していた機器配置部２を元のケース１内へ戻し第１開閉部１１を閉じる。
【００５４】
タブレットｋ２の場合を例示すると、上記にてタブレットｋ２を図４（Ａ）へ示すように配置面２１へタブレットｋ２を配置した後、利用者は第２開閉部１２を開いて図４（Ｂ）へ示すようにシート配置部３のシート配置面３１に画面保護用シートｍを配置する。当該配置において、突出している被嵌合部３２を画面保護用シートｍ裏面ｍ２の剥離シートｎの嵌合部ｎ３へ嵌め込んで、シート配置面３１の所定の位置に確実に画面保護用シートｍを配置することができる。画面保護用シートｍの当該配置後、第２開閉部１２を閉じる。
【００５５】
上記の携帯型電子機器ｋと画面保護用シートｍの配置が完了すると、利用者は上記操作部を操作して、貼着装置に貼着作業を開始させる。
上記操作部の操作を受けて、上記制御部は、移動部５２にて吸着部５１をシート配置部３のシート配置面３１の真上に移動させる。
【００５６】
前述のセンサ或いはタイマなどにて吸着部５１のシート配置面３１の真上への到達を制御部が検出すると、制御部は、図６（Ａ）へ示す通り、剥離機構部４の軸止部４３を稼働させて、作動部４２の先端側を上方に向けるように揺動し、剥離動作部４１をシート配置面３１より上方へ移動させる。
そして、制御部は、被嵌合部３２をシート配置面３１から没した状態とし、嵌合部ｎ３から被嵌合部３２を抜く。
【００５７】
次に制御部は、図７（Ｂ）へ示す通り、移動部５２のピストン部５２ａの先端を下方へ伸ばして吸着部５１を降下させ、当接面５１ｃを画面保護用シートｍの表面ｍ１へ当接させる。この当接の際に弁５３（電磁弁）は開かれる。そして負圧供給部からの負圧により画面保護用シートｍの表面ｍ１は、吸引口５１ａ，５１ｂに吸引され吸着部５１に吸着保持される。
画面保護用シートｍが吸着された後、上記制御部は、軸止部４３の稼働にて作動部４２先端側を下方へ向けるように揺動させ剥離動作部４１であるローラを受け部４４である回転ローラへ接触させる。
【００５８】
図６（Ｃ）へ示す通り、剥離動作部４１の上記動作によって、剥離動作部４１と受け部４４に剥離シートｎの前延設部ｎａが挟まれる。図８（Ａ）へ示す通り、受け部４４である回転ローラは、シート配置部３のシート配置面３１の先端即ち右端よりも左側に位置する。このため、剥離動作部４１の上記動作中、円滑に剥離シートｎは円滑に画面保護用シートｍから下方左側へ捲られた状態となる。
【００５９】
上記の通り、剥離動作部４１と受け部４４に剥離シートｎの前延設部ｎａが挟まれると、上記制御部は駆動部４５の駆動にて受け部４４を回転させる。更に上記制御部は受け部４４の回転と同時に、移動部５２を稼働して吸着部５１を横方向即ち右方Ｒへ移動開始させる。この吸着部５１の移動の速さと、受け部４４の回転の回転による剥離シートｎの送りの速さは同じになるように設定する。当該速さの一致によって、図７（Ａ）へ示す通り、剥離シートｎは円滑に剥がされていくのである。図７（Ｂ）へ示す通り、剥がされた隔離シートｎは、排出案内部４６に案内されて第３開閉部１３の近傍へ落とされる。
【００６０】
上記制御部において、図７（Ｂ）へ示す通り、吸着部５１が機器配置部２の配置面２１の真上に移動したことを検出すると、図７（Ｃ）へ示す通り、上記制御部は、移動部５２にて吸着部５１を降下させて携帯型電子機器ｋの画面ｇへ画面保護用シートｍを押し付けると共に、弁５３を閉じて負圧を解除し携帯型電子機器ｋの画面ｇへ画面保護用シートｍを貼り付ける。
【００６１】
前述のガイドレール２４の傾斜により、吸着部５１の画面保護用シートｍにおいて、画面ｇに対し後方Ｂ側が前方Ｆ側より若干浮いた状態となる。このため吸着部５１を引き離す際に画面保護用シートｍの後方Ｂ側は自重で画面ｇに向けて落下するものとなり、前方Ｆ側に遅れて後方Ｂ側が漸次画面ｇへ貼着される。このように前方Ｆ側から後方Ｂ側へ向けて画面Ｇへ徐々に貼り付けられて行くことにより、漸次空気を画面ｇと画面保護用シートｍとの間から円滑に空気を抜きつつ画面保護用シートｍを貼り付けることができる。
【００６２】
画面保護用シートｍを貼り付後、制御部は、移動部５２にて吸着部５１を機器配置部２の配置面２１から上昇させる。
上述の通り、１台の携帯型電子機器ｋの画面保護用シートｍの貼り付けごとに、対応する１枚の独立した画面保護用シートｍを、貼着装置へセットするものであり、このように機器に応じてカットされた保護用シートを取り扱うことによって、様々な寸法、形状の携帯型電子機器に、素早く柔軟に対応することができるのである。
【００６３】
（変更例）
移動部５２は、吸着部５１の上記移動が可能であれば周知の他の手段にて実施することができる。例えば、周知のカム機構により、ガイド溝（図示しない。）内にて吸着部５１を変位させることにより吸着部５１の吸着から画面ｇへの貼り付けまでの移動を行うものとしても実施できる。このようにカム機構を利用することにより、装置を小型化することができる。
【００６４】
但し、図示したものや、上記カム機構以外にて移動部５２を構成して実施することも可能である。
また、剥離機構部４についても、剥離動作部４１をローラに限定するものではなく、他の押圧部材を用いて、剥離シートｎを捲るものとしても実施できる。
【００６５】
画面保護用シートｍを画面ｇへ貼り付ける際、吸着部５１の吸引口は弁５３にて同時に吸引を遮断するものとする他、図２（Ｂ）の手前（図５（Ａ）の前方Ｆ）側に位置する吸引口よりも奥（図５（Ａ）の後方Ｂ）側へ位置する吸引口のほうが漸次遅れて吸引を解除するように制御することができる。このように吸引口の吸引について手前側から奥側へ時間差を以て解除するものとすることにて、画面保護用シートｍと画面ｇとの間からの空気の排出が円滑に行える。上記時間差による吸引解除ができるように、上記手前側と奥側との間にて位置の異なる吸引口間において対応する弁５３を異なるものとし、当該各弁５３への制御部からの閉弁の指令系統を別々に複数備えるものとすればよい。
【００６６】
画面保護用シートｍは、剥離シートｎのように変形する必要は無く、上記のプラスチックフィルム以外にガラス板などの変形し難い素材を採用することもできる。
また、剥離シートｎについては、剥離動作部４１によって捲ることができるものであればよく、上記のプラスチックフィルム以外に、紙製シートなど変形することが可能な素材を採用することができる。
【００６７】
更に上述してきた例では、保持部は、負圧にて画面保護用シートを吸着保持する吸着部５１としたが、保持部は負圧によるものに限定されるものではなく、画面保護用シートを適切に保持することができれば、粘着によりシートを保持する粘着部や、画面保護用シートを摘むことによって保持する周知の把持装置などの、上記吸着部５１以外の構成を採用することができる。尚、保持部は、上述してきた機構に代え、ポンプにて吸着部５１へ負圧を発生させるものとしてもよい。
【００６８】
（他の実施の形態）  
以下、図９〜図１８を用い、画面保護用シートｍが液晶画面に貼り付けられる携帯型電子機器ｋについてスマートフォンへの使用を例示して、画面保護用シートｍ及び貼着装置の更に他の実施の形態について説明する。尚以下の実施の形態において、特に言及しない事項は、図１〜図８へ示す実施の形態と同様である。
（画面保護用シートｍ）
先ず図１２（Ａ）（Ｈ）へこの実施の形態の画面保護用シートｍを示す。
画面保護用シートｍは、図１２（Ａ）へ示す通り、図中右側の前辺ｍａと、同図中手前（下）側の側辺ｍｂと、同図中奥（上）側の側辺ｍｃと、同図中左側の後辺ｍｄとに象られた平面視略矩形に形成されたプラスチック製の透明フィルムである。
【００６９】
画面保護用シートｍは、図４（Ｂ）及び図８（Ｂ）へ示すものと同様、図１２（Ｈ）へ示す下面即ち裏面ｍ２側の全域に再剥離性の糊による接着層が形成されている（図示は省略）。
また、図１２（Ａ）（Ｈ）へ示す画面保護用シートｍの上記裏面ｍ２には、剥離シートｎが重ねられて当該裏面ｍ２を覆っている。
【００７０】
図１２（Ａ）（Ｈ）へ示す実施の形態においても、剥離シートｎは、画面保護用シートｍの上記形状に対応して平面矩形のプラスチック製のフィルムである。前述の通り、画面保護用シートｍは、剥離シートｎのように変形する必要は無く、上記のプラスチックフィルム以外にガラス板などの変形し難い素材を採用することもできる。
また図１２（Ａ）（Ｈ）へ示す剥離シートｎも、画面保護用シートｍの各辺からはみ出す延設部を備え、当該延設部は、図４（Ｂ）へ示すものと同様の、前延設部ｎａ、側延設部ｎｂ、側延設部ｎｃ、後延設部ｎｄを有する。
【００７１】
この例においても前延設部ｎａと側延設部ｎｂの夫々に、剥離シートｎの上面ｎ１から下面ｎ２へ貫通穴が嵌合部ｎ３として設けられている（図１２（Ａ））。
図１２（Ａ）に示す通り、この例において剥離シートｎは、前延設部ｎａへ３個の嵌合部ｎ３を備え、側延設部ｎｂへ２個の嵌合部ｎ３を備える。
前延設部ｎａの上記嵌合部ｎ３同士は画面保護用シートｍの前辺ｍａに沿って互いの間隔を開けて一直線に配置されている。前延設部ｎａの各嵌合部ｎ３は、画面保護用シートｍの前辺ｍａと間隔を開けて配置されている。
側延設部ｎｂの上記嵌合部ｎ３同士は画面保護用シートｍの上記側辺ｍｂに沿って互いの間隔を開けて一直線に配置されている。側延設部ｎｂの各嵌合部ｎ３は、画面保護用シートｍの側辺ｍｂと間隔を開けて配置されている。
但し嵌合部ｎ３の上記数や配置は、画面保護用シートｍ及び剥離シートｎの寸法や形状、材質によって変更可能である。また、嵌合部ｎ３を前延設部ｎａ及び側延設部ｎｂ以外の延設部に設けて実施することも可能である。
【００７２】
嵌合部ｎ３は、貼着装置に対する位置を決める位置決め穴である。嵌合部ｎ３は、上記の通り剥離シートｎの表裏に貫通すると共に、図１２（Ａ）（Ｂ）（Ｅ）へ示す通り、平面視において前記嵌合部の内周面から前記嵌合部の径外方向へ伸びる３本以上の切れ込みｎ４を備える。
切れ込みｎ４の夫々は、前記嵌合部の周方向について互いに間隔を開けて放射状に設けられたものである。複数の切れ込みｎ４同士は特に等間隔を開けて上記の通り放射状に配置されるのが好ましい。
この例では、図１２（Ｂ）へ示す切れ込みｎ４を３本備えた嵌合部ｎ３と、図１２（Ｅ）へ示す切れ込みｎ４を４本備えた嵌合部ｎ３とが、剥離シートｎへ設けられている。即ち、前延設部ｎａの各嵌合部ｎ３は切れ込みｎ４を３本備えるものであり、また側延設部ｎｂの各嵌合部ｎ３は切れ込みｎ４を４本備えるものである。但し、このような各嵌合部ｎ３の構成や、切れ込みｎ４の数は、後述するセンタリングの作用を適切に得られるものであれば変更可能である。例えば、切れ込みｎ４を５本以上備える嵌合部ｎ３を設けるものとしても実施できる。
この例では嵌合部ｎ３の１つは、後述する被填合部ｂｂを兼ねる嵌合部３２へ嵌め合わされる。即ち、図１２（Ａ）及び図１５へ示す側延設部ｎｂに設けられた嵌合部ｎ３の１つが被填合部ｂｂを兼ねる嵌合部３２へ嵌め合わされる。具体的には、図１５へ示す通り、側延部ｎｂに設けられた２つの嵌合部ｎ３のうちシートの進行方向前方側即ち装置の右側Ｒ寄りに設けられた嵌合部ｎ３が、被填合部ｂｂを兼ねる嵌合部３２へ嵌め合わされる。
そして、剥離シートｎの上記延設部において、この被填合部ｂｂを兼ねる嵌合部３２と異なる嵌合部ｎ３即ち被填合部ｂｂを兼ねない嵌合部ｎ３の設けられた領域が非接触領域として、後述する吸着部５１によるシート吸着の際も吸着部５１の当接面５１ｃと接触しない（図１６）。この例では、上記延設部において、側延設部ｎｂの被填合部ｂｂを兼ねない嵌合部ｎ３が設けられた領域と前延設部ｎａとが上記非接触領域である。
【００７３】
尚、剥離シートｎの画面保護用シートｍに重なる位置や、剥離シートｎの寸法、剥離シートｎの形状、剥離シートｎにおける嵌合部ｎ３の位置の何れかを変更することによって、画面保護用シートの寸法又は形状の変更即ち携帯型電子機器ｋの変更への対応に必要となる装置側の調整の手間を少なくすることができる点、特に、画面保護用シートｍの寸法や形状が変更されて剥離シートｎの画面保護用シートｍに重なる位置が変わっても、当初より各変更に対応できる位置に嵌合部ｎ３を設けることにより、上記変更において、剥離シートｎの寸法、剥離シートｎの形状、当該嵌合部ｎ３の位置を変えずに対応することができる点、図４（Ｂ）へ示す実施の形態と同様である。
また、スマートフォン用の画面保護用シートｍを図示したが、例えばタブレット端末用の画面保護用シートｍを用いる場合、上記の通り、画面保護用シートｍと共に剥離シートｎの寸法の変更や嵌合部ｎ３の数・配置を変更にて対応すればよい。
勿論、図４（Ｂ）へ示す画面保護用シートｍの剥離シートｎの嵌合部ｎ３についても、図１２へ示すものと同様の切れ込みｎ４を備えるものとして実施できる。
【００７４】
（装置の全体構成）
この画面保護用シートの貼着装置も、ケース１と、ケース１内へ収容された内部機構（図９）とを備える。この内部機構は、機器配置部２と、シート配置部３と、剥離機構部４と、貼着部５と、電源部（図示しない。）と、各部の動作を制御する制御部（図示しない。）とを備える。前述の通り図１〜図８と同様の構成については説明を省略する。
【００７５】
（機器配置部２）
図９（Ａ）、図１０及び図１５へ示す通り、機器配置部２は、平面視略長方形の台板である。機器配置部２の上面は、携帯型電子機器ｋを配置することができる機器配置面２１をなすものである。機器配置面２１は、本装置を利用して画面保護用シートｍの貼り付けを予定する携帯型電子機器ｋのうち最も大きなものと同じかそれよりも広いものである。
【００７６】
図１０及び図１５へ示す通り、平面視において機器配置面２１は、複数の当接部２２を備える。当接部２２は、平面視において機器配置面２１上の携帯型電子機器ｋのコーナーの一つ即ち携帯型電子機器ｋの前方手前側の角を取り囲むように配置面２１に設けられる。当接部２２は、側面視において置面２１から突出し、携帯型電子機器ｋの側面の各位置と当接する。
詳しくは、図１０へ示す通り、機器配置面２１は、機器配置面２１上の携帯型電子機器ｋの上記コーナーを取り囲むように配列された、即ち前後方向Ｆ，Ｂ及び左右方向Ｌ，Ｂに沿って配列されてコーナーを呈する複数の差込口２６を備える。図３において、内側が白抜きの円と、二重丸の内側が白抜きの各円が、上記差込口２６の夫々を示している。
差込口２６は機器配置面２１から下方へ陥没する凹み部である。複数の差込口２６のうち配置する携帯型電子機器ｋに適した位置にあるものに、機器配置部２と別体に形成されたピンが上記当接部２２として差し込まれる。図１０において内側が白抜きの二重丸が上記当接部２２が差し込まれた差込口２６を示している。
【００７７】
図１０へ示す通り、機器配置面２１には、差込口２６が呈する上記コーナーと対向する機器配置面２１の角側から差込口２６が呈する上記コーナーへ向けて斜めに伸びるレール部２７が設けられている。レール部２７は、奥が縁側よりも即ち上方より下方が広くなった溝である。当該レール部２７には、レール部２７の伸びる方向に沿ってレール部２７内をスライドすることができる規制部２８が装着される。規制部２８は、ロックレバー２９を備え、利用者はロックレバーを旋回させることによって、規制部２８からレール部２７内へ出没するロック部（図示しない）を操作することができる。ロックレバー２９の操作にて上記ロック部をレール部２７内へ突出させることにより、規制部２８のレール部２７に対する即ち機器配置面２１に対する位置が固定される。
【００７８】
図１５へ示す通り、機器配置面２１へ携帯型電子機器ｋを置き、携帯型電子機器ｋの上記コーナーを、当接部２２へ沿わせて当接部２２が呈するコーナーへ合わせ位置決めをした後、規制部２８をスライドさせて携帯型電子機器ｋの上記コーナーと対向する携帯型電子機器ｋのもう一方のコーナーへ向けて移動させる。上記各当接部２２と規制部２８とに携帯型電子機器ｋを挟んだ状態にしてロックレバー２８を操作して規制部２８を固定することにより、携帯型電子機器ｋの機器配置面２１上の位置を固定することができる。
上記レール部２７と規制部２８の採用により、種々の寸法の各携帯型電子機器ｋに対応することができる。即ち、例えばスマートフォンからタブレット型端末といった対象機種の変更に柔軟に対応することができる。また、上記レール部２７と規制部２８の採用により、携帯型電子機器ｋのロックとロック解除とが簡単に行える。
但し、図９〜図１８へ示す実施の形態においても、上記に代え図３へ示す構成の当接部２２を備えるものとして実施できる。
【００７９】
機器配置面２１には、被填合部ａａが設けられている（図１０）。図１０において、被填合部ａａは、内側の円内が暗色に塗りつぶされた二重丸で示されている。被填合部ａａは、後述する吸着部５１の填合部ｃｃへ嵌められる突起であり、機器配置面２１から上方へ突出する。
この例では、図１５へ示す通り、被填合部ａａは、携帯型電子機器ｋを挟んで携帯型電子機器ｋの前後Ｆ，Ｂ（画面保護用シートｍの移動方向について左右）の二か所へ設けられている。
機器配置面２１へ携帯型電子機器ｋを配置した状態において、被填合部ａａは携帯型電子機器ｋ及び上記当接部２２よりも上方へ突出する高さを有する。
被填合部ａａは、先端即ちその頂点に向けて漸次径を小さくするガイド部位ｔ１を備えたピンである（図９（Ａ）（Ｂ））。ガイド部位ｔ１は、被填合部ａａを先細りとするテーパ面であり、ガイド部位ｔ１は、略円錐形である。当該テーパ面の傾斜を急にすることによって、より精度の高い画面保護用シートｍの画面ｇへの位置合わせが行える。
但し、ガイド部位ｔ１は、半球状や紡錘形の上半分更には富士山型のように側面視曲線状の輪郭を有するものとしても実施できる。また、被填合部ａａの数や配置は、上記に限定するものではなく、機器配置面２１の他の位置や他の個数に変更可能である。
【００８０】
（シート配置部３）
図９（Ａ）及び図１０へ示すシート配置部３は、上面をシート配置面３１とする台であり、この例ではケース１から引き出すことができるようにケース１へ固定されている。
貼着装置の平面視において、シート配置部３は、剥離機構部４の剥離動作部４１及び受け分４４を挟んで、機器配置部２の反対側（この例では機器配置部２の左側Ｌ）に設けられている。
【００８１】
この実施の形態においても、図９（Ａ）及び図１０へ示す通り、シート配置面３１には、複数の被嵌合部３２が設けられている。被嵌合部３２の夫々は、図１２（Ｄ）（Ｇ）へ示す通り被剥離シートｎの嵌合部ｎ３に嵌め合わされてシート配置面３１への画面保護用シートｍの位置決めを行う。この点、被嵌合部３２は図４（Ｂ）へ示すものと同様である。但し、この図９〜図１８へ示す実施の形態において、被嵌合部３２は、平面視においてシート配置面３１の定位置に固定され、尚且つ出没しない即ち上下についても不動に固定されたものである。
被嵌合部３２は、先端即ちその頂点に向けて漸次径を小さくするガイド部位ｔ３を備えたピンである。ガイド部位ｔ３は、被嵌合部３２を先細りとするテーパ面であり、ガイド部位ｔ３は、略円錐形である。ガイド部位ｔ３についても、半球状や紡錘形、富士山型のように側面視曲線状の輪郭を有するものとしても実施できる。
但し、被嵌合部３２については、利用者が触れることもあるので、上記テーパ面を被填合部ａａよりも緩やかにするのが好ましい。
図１２（Ｄ）（Ｇ）で暗色に塗りつぶして示す被嵌合部３２のように、ガイド部位ｔ３は丸みを帯びたものとすることができる。
更に、シート配置面３１も、上記填合部ｃｃへ嵌められる被填合部ｂｂを備える。シート配置面３１において被填合部ｂｂは、保持部にて画面保護用シートｍを保持する際に保持部の填合部ｃｃと対面する位置に設けられている。シート配置面３１の上記被填合部ｂｂも機器配置面２１の上記被填合部ａａと同様の形状を備える。但し、シート配置面３１の被填合部ｂｂも利用者が触れることがあるので、テーパ面を被填合部ａａよりも緩やかにするのが好ましい。
特に、この実施の形態では、図１０及び図１５へ示す通り、被嵌合部３２の１つが被填合部ｂｂを兼ねている。この例では、剥離シートnの側延接部ｎｂに設けられた嵌合部ｎ３に嵌め合わされる被嵌合部３２の１つが被填合部ｂｂを兼ねている。
但し、被填合部ｂｂは被嵌合部３２とは別に設けられ被嵌合部３２を兼ねないものとしても実施できる。
尚、被嵌合部３２の数や配置は、上記に限定するものではなく、機器配置面２１の他の位置や他の個数に変更可能である。
【００８２】
（貼着部５）
貼着部５は、移動部５２を備え、移動部５２がシート配置面３１の上方から機器配置部面３１上方へ吸着部５１即ち保持部を移動させる横移動機構と、保持部を上下に移動させる縦移動機構とを備える点は、図１〜図８に示す実施の形態と同様である。即ち、横移動機構がシート配置面３１の上方へ吸着部５１即ち保持部を配置した状態において縦移動機構が保持部を上下に移動させることにて画面保護用シートｍを保持でき、保持部のシート配置面３１の上方から機器配置部面２１上方への移動中、剥離シートｎの画面保護シートｍの裏面からの前記剥離が行われる。
この例では、図１〜図８へ示す実施の形態と異なり、移動部５２はピストン部５２ａ及びシリンダ部５２ｂを備えない。具体的には、図１１（Ａ）〜（Ｄ）へ示す通り、移動部５２は、案内部５２ｃへ一体に設けられたケーシング５４と、ケーシング５４内へ取り付けられた昇降駆動部５２ｂと、昇降駆動部５２ｂに組みつけられた昇降軸５２ａと、案内軸５５と、吸着部５１を支持する支持軸５６と、昇降軸５２ａの先端に固定された保持板５７とを備える。また、吸着部５２への負圧の供給は、吸着部５２に接続したチューブ（図示しない）を直接貼着装置内に設置したポンプ（図示しない。）に繋いで行う。この例では、昇降駆動部５２ｂは縦移動機構として設けられた直動型モータであり、当該直動型モータに組みつけられたモータ軸が上記昇降軸５２ａである。
ケーシング５４の底部には、昇降軸５２ａを通しケーシング５４の下方へ突出させる貫通孔と、上記案内軸５５を通す貫通穴とが設けられている。案内軸５５の下端は保持板５７に固定されており、昇降軸５２ａの昇降により案内軸５５は上記貫通穴を通じてケーシング５４から出没する。当該出没により昇降軸５２ａの昇降による保持板５７の昇降をガイドする。この例では、支持軸５６は前後左右に互いの間隔を開けて吸着部５１の上面側へ４本固定されている。但し、支持軸５６は４本に限定するものではなく適切に吸着部５１を支持できるものであれば、２本でも３本でも５本以上でも実施可能である。保持板５７は支持軸５６を通す貫通部を備える。支持軸５６の上端側には支持軸５６が貫通部から下方へ抜けないように抜止めが設けられている。当該抜止めは保持板５上面と当接する座面を備える。支持軸５６は当該抜止めにて保持板５７へぶら下がるものである。このため昇降軸５２ｃの降下にて吸着部５２がシート配置面３１の画面保護用シートｍと当接した後は、支持軸５６は保持板５７から上方へ後退して吸着部５２に必要以上に画面保護用シートｍを押圧させない。
支持軸５６の取り付けのクリアランス、昇降軸５２ａであるモータ軸の揺動のクリアランス、レール５２ｃと案内部５２ｃに設けられたケーシング５４とのクリアランスなどにて、填合部ｃｃと被填合部ａａの近接・離反の方向と交差する方向及び填合部ｃｃと被填合部ｂｂの近接・離反する方向と交差する方向への填合部ｃｃの変位が可能となっている。
図示は省略するが、吸着部５１の当接面５１ｃにおいて、前述の剥離シートｎの側延設部ｎｂの上記非接触領域と対応する位置は、上方へ後退するか被嵌合部３２を受容する填合部ｃｃと同様のピン穴として形成し被嵌合部３２との当接を回避する回避部としておけばよい。この例では当該回避部はピン穴とする。
【００８３】
（剥離機構部４）
この実施の形態において、剥離機構部４は、剥離動作部４１、作動部４２、軸止部４３、受け部４４、駆動部４５、及び排出案内部４６と共に、受け部保持体４７を備える。
この例では、剥離動作部４１は、軸止部４３にて作動部４２へ軸止されたフリーのローラである。軸止部４３は作動部４２へ設けられた穴であり、前記ローラの軸を受ける。作動部４２は当該ローラを回動自在に保持すると共にリンク部材（図示しない。）に係合し上下に作動する枠体である。
【００８４】
剥離動作部４１である前記ローラは、作動部４２が備える一対の上記軸止部４３の間で、回動自在に保持されている（図９、図１３）。作動部４２は、上記リンク部材に軸止されリンク部材の揺動にて、シート配置部３に対して上下に移動することができる。リンク部材の前記揺動は、移動部５１による前記吸着部５２の横方向への移動に連動するように、吸着部５２を支持する部材の何れかに直接又は間接的にリンクするものとする（図示）。
但し、剥離動作部４１として前記ローラに剥離動作をさせることが可能であれば、上記リンク部材にて作動部４２を上下に移動させる以外の機構を採用して実施することができる。例えば、図１〜図８へ示す実施の形態と同様、先端側に前記ローラが軸止されたアームを上記作動部４２とし、当該作動部４２の基端側を剥離装置へ軸止してアームの旋回によってローラが上下に移動するものとしても実施できる。この場合、後述の通り駆動部４５から駆動力を受ける上記受け部４４と同様、前記アームも上記駆動部４５から駆動力を伝達されて旋回するものとすればよいし、別個独立したモータ等の動力源（図示しない。）から動力を得て旋回するものとしてもよい。
この例では、上記作動部４２の剥離動作として上下動を行う、剥離動作部４１のローラは、図１３（Ｃ）に太矢印で示す通り左方Ｌから右方Ｒへの移動中の画面保護用シートｍの進行方向に対し図１４（Ａ）へ示す通り上方から下方へ移動して交差することができる。受け部４４は駆動部４５から動力の供給を受けて自転する回転ローラである。駆動部４５にはモーター等周知の駆動手段を採用する。受け部４４である回転ローラはケース１の定位置に固定されている。受け部４４である回転ローラは、上記降下してきた剥離動作部４１のローラとの間に剥離シートｎを挟むことができる。排出案内部４６は、画面保護用シートｍから剥離した剥離シートｎを第３開閉部１３の近傍へ案内する。
【００８５】
上記の通り、図１３（Ｃ）の左方Ｌから右方Ｒへの移動中、即ち画面保護用シートｍの厚み方向と略直交する方向への移動中、剥離動作部４１は、図１４（Ａ）へ示す通り吸着部５１に対し相対的に画面保護用シートｍの前記先頭と交差するよう移動することにより、前延設部ｎａを画面保護用シートｍの前記厚み方向即ち下方について押圧し剥離シートｎを画面保護用シートｍの前記先頭側から捲ることができる。
【００８６】
前記捲り後、剥離動作部４１は、前記厚み方向と略直交する方向へ移動する画面保護用シートｍの当該移動に対し相対的に略逆方向へ移動し、捲った剥離シートｎを画面保護用シートｍの裏面から漸次剥離させて行く。この相対的に逆方向へというのは、移動中の画面保護用シートｍ側から見てということであり、剥離動作部４１は必ずしもケース１に対して画面保護用シートｍと逆方向に移動している必要はない。
【００８７】
（装置の運用）
図９〜図１８の装置の運用においも、装置各部の基本的な動作は図１〜図８へ示す実施の形態と同様である。ここでは、当該動作の相違する点を中心に説明する。利用者は、図９（Ｂ）及び図１５へ示す通り、ケース１からシート配置部３を引き出し、嵌合部ｎ３を被嵌合部３２の先端に合わせて、シート配置面３１へ画面保護用シートｍを載せ、画面保護用シートｍを軽く下方へ押し付ける。このとき、画面保護用シートｍの自重と利用者の指先の押し付ける力で、嵌合部ｎ３へ被嵌合部３２が嵌め合わされる。この嵌め合わせに際して、画面保護用シートｍの熱膨張や伸縮などにて嵌合部ｎ３の内径に被嵌合部３２が合わなくなっていても、図１２（Ｄ）（Ｇ）へ示す通り、切れ込みｎ４が押し広げられて開き、嵌合部ｎ３は被嵌合部３２を受け入れることができる。当該嵌め合わせの際に、前述のセンタリングの作用が得られる。
そして、図１５へ示す通り、機器配置部２の機器配置面２１に携帯型電子機器ｋをセットする。
【００８８】
画面保護用シートｍと携帯型電子機器ｋのセットが完了すると、貼着装置を作動させる。
図１３〜図１４、図１６〜図１８の各図へ示す通り、図１〜図８の実施の形態と基本的に同じ工程を経て携帯型電子機器ｋへの画面保護用シートｍの貼り付けが行われる。行程中、吸着部５１は降下して画面保護用シートｍを保持した後、上昇により填合部ｃｃから被填合部ｂｂを抜くと共に、嵌合部ｎ３から被嵌合部３２を抜く。そして、移動部５にて吸着部５１が横方向へ移動する途中、図１４（Ａ）へ示す通り、リンク部材（図示しない。）との連動により剥離動作部４１を保持する作動部４２が当該移動と交差する画面保護用シートｍの厚み方向即ち上方から下方へ直線的に剥離動作部４１を移動させシートの剥離を開始する。シート剥離後機器配置部２の被填合部ｂｂへ填合部ｃｃを案内させて、画面保護用シートｍの貼り付けを行う。
上記工程において、ポンプにて吸着部５１の負圧を発生させる点、吸着部５１によるシート保持の際被嵌合部３２が没せず吸着部５１の上昇にて剥離シートｎをシート配置面３１から離反させた後剥離動作に移行する点、剥離動作が剥離動作部４１の直線的な移動による点、被填合部ａａ，ｂｂと填合部ｃｃを利用して吸着部５１とシート配置面３１及び機器配置面２１との位置合わせを行う点が、上記図１〜図８へ示す実施の形態と大きく異なる点である。列挙した上記相違点以外については、図９〜図１８へ示す実施の形態も図１〜図８へ示す実施の形態と同様である。
また、上記図１〜図８へ示す実施の形態においても、図９〜図１８へ示す実施の形態と同様填合部ｃｃと被填合部ａａ，ｂｂを備え、吸着部５１は降下して画面保護用シートｍを保持した後、上昇により填合部ｃｃから被填合部ｂｂを抜くと共に、嵌合部ｎ３から被嵌合部３２を抜くものとしても実施できる。嵌合部ｎ３から被嵌合部３２を抜く構成を採る場合、図１〜図８へ示す実施の形態においても、機器配置部２へ被填合部ａａを、シート配置部３へ被填合部ｂｂを、吸着部５１即ち保持部へ填合部ｃｃを設けて実施することができる。
【００８９】
上記において、シート配置部３と機器配置部２における位置決めを、シート配置部３と機器配置部２の夫々に設けたピン（被填合部ａａ，ｂｂ）と、吸着部５１に設けたピン穴（填合部ｃｃ）との嵌合によって行うことで、貼り付け誤差を極小にすることができ、保持部を正しい位置に誘導できる。
尚被填合部ａａ，ｂｂと填合部ｃｃの凹凸を逆にする即ち、被填合部ａａ，ｂｂをピン穴とし填合部ｃｃをピンとしても実施できる。
【００９０】
また、シート配置部３に設けたピン即ち被嵌合部３２の外径に対して、嵌合するシートの穴即ち嵌合部ｎ３を同径とし、シート穴にスリット即ち切れ込みｎ４を設けることで、シート設置時に配置ずれが起きにくくなり、シート配置時における、配置ずれによる貼り付け誤差を極小にできる。
特に、剥離シートｎに配置された嵌合部ｎ３を被嵌合部３２に対する遊びを備えないものとすることで、被嵌合部３２にて画面保護用シートｍを適切な位置に配置するときに、図１２（Ｄ）（Ｇ）へ示す通り、位置決め穴である嵌合部ｎ３の周囲に均等に配置されたスリット即ち切れ込みｎ４によって剥離シートｎの穴周辺が持ち上がり、嵌合が完了する。持ち上げられた剥離シートｎは、円周上に均等に配置された切れ込みｎ４によって、位置決めピン即ち被嵌合部３２を嵌合部ｎ３の中心に収める復元力が働くため、シート配置時にシートのズレが起こり難い。
その上で、上記の通り、吸着部５１は、被填合部ｂｂと填合部ｃｃ即ち嵌合ピンと嵌合ピン穴によって、シート配置部の正しい位置に誘導され、画面保護用シートｍを吸着することができる。
図１４（Ａ）（Ｂ）及び図１７へ示すように位置決めを行った剥離シートｎは、取り除かれるが、画面保護用シートｍの適切な貼り付け位置情報即ち位置関係は、嵌合ピン穴である填合部ｃｃによって保持され、図１８の貼り付け位置で、吸着部５１は、上記嵌合ピンと嵌合ピン穴によって、機器配置部３の正しい位置へ誘導される。
嵌め合いの精度の面では、図１２へ示した通り、嵌合部ｎ３は、放射状に設けられた３本以上の切れ込みｎ４を等間隔に備えるが極めて好ましいが、この他、嵌合部ｎ３は、切れ込みｎ４を１本又は２本備えるものとしても実施できる。また、嵌合部ｎ３が２本以上の切れ込みｎ４を備える場合、切れ込みｎ４同士は、等間隔とするのが好ましいが、等間隔でないものとしても実施できる。
即ち、嵌合部ｎ３に関して小括すると、次の通りである。
１）画面保護用シートｍのセット時に画面保護用シートｍが回転して置かれることを避けるために剥離シートｎの嵌合部ｎ３には被嵌合部３２との間にマージンを設けないのが好ましい。
２）一方嵌合部ｎ３へ切れ込みｎ４を設けることによって、上記マージンを設けないことにより剥離シートｎへ嵌合ピンである上記被嵌合部３２が入らなかったり、剥離シートｎの嵌合部ｎ３が折れてしまったりするのを回避することができる。
３）上記の通り、切れ込みｎ４であるスリットの本数は１本、２本でも剥離シートｎをセットする上で問題ないが、３本以上を円周上に配置することで、切れ込みｎ４が、ばねのように機能し、センタリングする作用を顕著に奏することができ、より正確に画面保護シートｍをセットすることができる。
【符号の説明】
【００９１】
１  ケース
２  機器配置部
３  シート配置部
４  剥離機構部
５  貼着部
１１  第１開閉部
１２  第２開閉部
１３  第３開閉部
１４  ファン  
２１  配置面  
２２  当接部
２３  溝
２４  ガイドレール
２５  ガイド部
３１  シート配置面
３２  被嵌合部
４１  剥離動作部
４２  作動部
４３  軸止部
４４  受け部
５１  吸着部
５２  移動部
５３  弁
【図１】
2017053944.tif 000003
【図２】
2017053944.tif 000004
【図３】
2017053944.tif 000005
【図４】
2017053944.tif 000006
【図５】
2017053944.tif 000007
【図６】
2017053944.tif 000008
【図７】
2017053944.tif 000009
【図８】
2017053944.tif 000010
【図９】
2017053944.tif 000011
【図１０】
2017053944.tif 000012
【図１１】
2017053944.tif 000013
【図１３】
2017053944.tif 000014
【図１４】
2017053944.tif 000015
【図１２】
2017053944.tif 000016
【図１５】
2017053944.tif 000017
【図１６】
2017053944.tif 000018
【図１７】
2017053944.tif 000019
【図１８】
2017053944.tif 000020